(57)【要約】【課題】  煤が溜まって性能劣化した燃焼機関の燃焼効率を回復する。【解決手段】  空気に酸素を混合して酸素濃度２１ｖｏｌ％超過の燃焼用ガスＧを調製し送出するガス供給装置１と、該ガス供給装置１のガス送出口２に接続したガス供給経路３を備え、該ガス供給経路３に放射性物質４を配設することによって、放射性物質４から照射された放射線で酸素を活性化し、かかる活性化酸素で所定燃料を燃焼し、燃焼後の排出ガスに含まれる高温の活性化酸素で、燃焼機関の内部に付着堆積している煤を燃焼除去する。【選択図】        図１
2005036705.tif 000002
【特許請求の範囲】
【請求項１】
空気に酸素を混合して酸素濃度２１ｖｏｌ％超過の燃焼用ガスを調製し、該燃焼用ガス
に放射線を照射した後、所定燃料と混合して燃焼機関で燃焼させる様にしたことを特徴と
する燃焼機関の浄化方法。
【請求項２】
空気に酸素を混合して酸素濃度２１ｖｏｌ％超過の燃焼用ガスを調製し送出するガス供
給装置と、該ガス供給装置のガス送出口に接続したガス供給経路を備え、該ガス供給経路
に放射性物質を配設したことを特徴とする燃焼機関の浄化装置。
【請求項３】
シート材に放射性物質を固着して成した浄化材をガス供給経路の外装に貼付したことを
特徴とする請求項２記載の燃焼機関の浄化装置。
【請求項４】
原料樹脂に放射性物質を配合して成した浄化材でガス供給経路を成形したことを特徴と
する請求項２記載の燃焼機関の浄化装置。
【請求項５】
塗料に放射性物質を配合して成した浄化材をガス供給経路の外装に塗布したことを特徴と
する請求項２記載の燃焼機関の浄化装置。
【発明の詳細な説明】
【技術分野】
【０００１】
本発明は、燃焼室や排気管内部に煤が付着堆積して性能劣化した各種燃焼機関の燃焼効
率を回復させると共に、排出される有害物質量を低減する燃焼機関の浄化方法及び装置に
関する。
【背景技術】
【０００２】
従来、自動車用エンジン、ボイラー等の燃焼機関は、固体、液体又は気体の各種燃料を
燃焼して、その目的とする動力や熱を得ている。
燃焼とは、空気中の酸素と燃料が化合し熱と光を発する現象で、完全燃焼に要する理論
上の最小空気量を理論空気量といい、この理論空気量と実際の燃焼に用いられる空気量の
比率を空気比といい、通常の燃焼制御においては、不完全燃焼防止のため、空気比1.0 以
上の状態、即ち過剰空気を供給して燃焼させる様にしている。
【０００３】
研究開発段階や出願段階で先行技術調査を行っておらず、記載すべき先行技術文献を知
りません。
【発明の開示】
【発明が解決しようとする課題】
【０００４】
ところが、いくら過剰の空気を供給しても、完全燃焼の実現は不可能で、排出ガス中の
一酸化炭素ＣＯや炭化水素ＨＣを皆無にすることは出来ず、この一酸化炭素や炭化水素は
煤と成り、燃焼機関の使用年時の経過に伴って、燃焼室や排気管内部に煤が付着堆積し、
このため燃焼効率が徐々に低下して、燃焼後の排出ガスに残留する有害物質量も徐々に増
加してしまった。
【課題を解決するための手段】
【０００５】
本発明は、上記課題に鑑み、空気に酸素を混合して酸素濃度２１ｖｏｌ％超過の燃焼用
ガスを調製し、該燃焼用ガスに放射線を照射することで、燃焼用ガスに含有させた酸素の
化学反応活性を高め、かかる活性化酸素で所定燃料を完全燃焼させると共に、燃焼後の排
出ガスに残留する高温度かつ高活性の酸素で燃焼室や排気管内部に付着堆積している煤を
燃焼除去する様にして、上記課題を解決する。
【発明の効果】
【０００６】
要するに本発明は、空気に酸素を混合して酸素濃度２１ｖｏｌ％超過の燃焼用ガスを調
製し送出するガス供給装置を装備したので、燃焼機関により多くの酸素を送り込むことが
出来る。
又、上記ガス供給装置のガス送出口にガス供給経路を接続し、該ガス供給経路に放射性
物質を配設したので、流通酸素に放射線を逐次照射して、連続的に活性化酸素を生成する
ことが出来る。
そして、上記活性化酸素を使い古された中古の燃焼機関に供給すれば、所定燃料を完全
燃焼させると共に、燃焼熱で排出ガス中の余剰の活性酸素を高温化でき、この高温度の活
性化酸素によって、燃焼機関のガス排出経路に溜まった煤を燃やし尽くして，燃焼機関の
性能を新品同様に回復させることが出来る。
【０００７】
シート材に放射性物質を固着して成した浄化材をガス供給経路の外装に貼付するか、原
料樹脂に放射性物質を配合して成した浄化材でガス供給経路を成形するか、或いは塗料に
放射性物質を配合して成した浄化材をガス供給経路の外装に塗布したので、ガス供給経路
の周囲に放射性物質を万遍なく配置するができ、燃焼用ガスが含有する酸素をより効率良
く活性化して、活性化酸素による清浄能力の向上を図ることが出来る等その実用的効果甚
だ大である。
【発明を実施するための最良の形態】
【０００８】
以下本発明の一実施例を図面に基づいて説明する。
図１に示す様に、本発明に係る燃焼機関の浄化装置は、燃焼用ガスＧを調製して送出す
るガス供給装置１と、該ガス供給装置１のガス送出口２に接続したガス供給経路３を備え
、該ガス供給経路３に放射性物質４を含有させた浄化材５を配設している。
【０００９】
ガス供給装置１は、酸素ボンベ（図示せず。）を備え、該ボンベの酸素を空気と混合す
ることで、酸素濃度が２１ｖｏｌ％超過で、窒素等の不燃性ガスの濃度が７９ｖｏｌ％未
満の燃焼用ガスＧを調製する。
【００１０】
浄化材５は、シート材６の表面に、エポキシ樹脂等の接着剤７を用いて、放射性物質４
を固着したものであり、裏面には粘着層８を設け、該粘着層８によって浄化装置のガス供
給経路３の外装に貼付されている。
シート材７は、可撓性を有するものであれば良く、例えば金属泊、樹脂製フィルム、不
織布等で良い。
放射性物質４は、人体に影響しない極微量の放射線を放出するもので、例えばラジウム
、ラドン等が挙げられ、天然鉱石、精製物を問わないが、微粉化したものが望ましい。
【００１１】
次に浄化装置の変形例について説明する。
第一変形例の浄化装置は、原料樹脂９に放射性物質４を配合し、得られた浄化材５でガ
ス供給経路３を成形している。（図２参照。）
原料樹脂９は、適宜形状に成形可能なものであれば良く、例えば、フェノール樹脂、ホ
ルムアルデヒド樹脂、尿素樹脂、珪素樹脂等の熱硬化性樹脂、ポリエチレン、ポリスチレ
ン、ポリメタクリル酸メチル等の熱可塑性樹脂が挙げられる。
【００１２】
第二変形例の浄化装置は、塗料10に放射性物質４を配合し、得られた浄化材５をガス供
給経路３の外装に塗布している。（図３参照。）
尚、塗料10は公知のもの用いれば良く、有機系、無機系は問わない。
【００１３】
次に本発明の浄化方法、並びに浄化装置の作用について説明する。
先ず、浄化装置のガス供給経路３を燃焼機関Ｅ、例えば自動車用エンジンの空気吸入口
に接続する。
次に、エンジンを始動すると共に、浄化装置から燃焼用ガスＧを供給する。
【００１４】
すると、燃焼用ガスＧ中の酸素分子は、ガス供給経路３を通過する際に、放射性物質４
が照射する放射線を受け、分子結合に係る最外殻電子が励起されて、化学反応を起こし易
い活性化酸素となる。
従って、エンジンに適合した所定の燃料（例えば、ガソリン、軽油、ＬＰＧ、ＬＮＧ等
）は、活性化酸素と化合して、残らず全てが燃焼し尽くされる。
又、燃焼用ガスＧは酸素濃度が空気よりも高いため、供給されるエンジンの圧縮比を高
めなくとも、より多くの酸素がシリンダー内に送り込まれ、この内一部が燃焼消費されて
も、排出ガス中には高温の活性化酸素が多量に残留し、かかる高温の活性化酸素で燃焼室
及びこれ以降のガス排出経路に付着堆積している煤は燃焼除去されるのである。
【図面の簡単な説明】
【００１５】
【図１】本発明に係る燃焼機関の浄化装置の模式図である。
【図２】シート状の浄化材をガス供給経路に貼付した浄化装置の要部拡大図である。
【図３】塗料状の浄化材をガス供給経路に塗布した浄化装置の要部拡大図である。
【符号の説明】
【００１６】
１  ガス供給装置
２  ガス送出口
３  ガス供給経路
４  放射性物質
５  浄化材
６  シート材
９  原料樹脂
10  塗料
【図１】
2005036705.tif 000003
【図２】
2005036705.tif 000004
【図３】
2005036705.tif 000005